(57)【特許請求の範囲】
【請求項１】
言葉認識装置、サーバー、および複数の端末を含み、
前記言葉認識装置は、
会議などの人の集まりで使用された言葉を認識し、前記認識した言葉を前記サーバーに送信し、
前記サーバーは、
前記言葉認識装置および前記複数の端末と通信可能な第１の通信部と、
言葉と当該言葉の解説とを組にして複数記憶した辞書と、
前記言葉認識装置から受信した言葉の前記解説を前記辞書により検索し、
前記受信した言葉と、検索された前記解説とを前記複数の端末に送信する第１の制御部とを備え、
前記複数の端末の各々は、
前記サーバーと通信可能な第２の通信部と、
ユーザーからの操作指示を受け付ける操作部と、
表示部と、
前記解説を記憶可能な記憶部と、
前記第２の通信部が前記サーバーから前記言葉と前記言葉の前記解説とを受信すると、
受信した前記言葉を前記表示部に表示させ、
受信した前記解説を前記記憶部に記憶させ、
表示された前記言葉の選択を前記ユーザーから前記操作部を介して受け付けると、
選択された前記言葉に対応する前記解説を前記記憶部から取得し、
取得した前記解説を前記表示部に表示させる
第２の制御部とを備え、
前記サーバーは、
前記言葉を前記複数の端末に送信してからの経過時間を前記言葉ごとに管理する時間管理部を更に備え、
前記端末の第２の制御部は、
表示された前記言葉の選択を前記ユーザーから前記操作部を介して受け付けると、
選択された前記言葉と、前記言葉が選択された旨とを前記サーバーに送信し、
前記サーバーの第１の制御部は、
前記時間管理部から前記言葉ごとの前記経過時間を取得し、
選択された前記言葉と、前記言葉が選択された旨とを受信すると、
前記言葉ごとに、前記言葉が選択された回数を集計し、
前記回数の集計結果に基づいて、取得した特定の言葉の前記経過時間の値を調整し、
調整した前記経過時間の値に基づいて、前記複数の端末の各々の表示部に表示されている特定の言葉の表示態様を変更する指示を作成し、
作成した前記指示を前記複数の端末の各々に送信し、
前記複数の端末の各々の第２の制御部は、
前記指示を受信すると、
受信した前記指示に基づいて、前記言葉ごとに表示態様を変更する
情報表示システム。
【請求項２】
請求項１に記載の情報表示システムであって、
前記端末の第２の制御部は、
表示された前記言葉の選択を前記ユーザーから前記操作部を介して受け付けると、
選択された前記言葉と、前記言葉が選択された旨とを前記サーバーに送信し、
前記サーバーの第１の制御部は、
選択された前記言葉と、前記言葉が選択された旨とを受信すると、
前記言葉ごとに、前記言葉が選択された回数を集計し、
前記回数の集計結果に基づいて、前記複数の端末の各々の表示部に表示されている特定の言葉の表示態様を変更する指示を作成し、
作成した前記指示を前記複数の端末の各々に送信し、
前記複数の端末の各々の第２の制御部は、
前記指示を受信すると、
受信した前記指示に基づいて、前記特定の言葉の表示態様を変更する
情報表示システム。
【請求項３】
請求項１に記載の情報表示システムであって、
前記サーバーは、
前記言葉を前記複数の端末に送信してからの経過時間を前記言葉ごとに管理する時間管理部を更に備え、
前記サーバーの第１の制御部は、
前記時間管理部から前記言葉ごとの前記経過時間を取得し、
取得した前記経過時間に基づいて、前記複数の端末の各々の表示部に表示されている言葉ごとの表示態様を変更する指示を作成し、
作成した前記指示を前記複数の端末の各々に送信し、
前記複数の端末の各々の第２の制御部は、
前記指示を受信すると、
受信した前記指示に基づいて、前記言葉ごとに表示態様を変更する
情報表示システム。
【請求項４】
請求項１から３のいずれか１つに記載の情報表示システムであって、
前記サーバーの第１の制御部は、
前記言葉認識装置から受信した言葉の前記解説が前記辞書に存在するとき、
前記受信した言葉と、検索された前記解説とを前記複数の端末に送信する
情報表示システム。
【請求項５】
請求項２又は３に記載の情報表示システムであって、
前記複数の端末の各々の第２の制御部は、
前記サーバーから受信した前記表示態様を変更する指示よりも、
前記操作部が受け付けた、前記ユーザーによる前記表示された言葉の表示態様を変更する指示を優先する
情報表示システム。
【請求項６】
請求項１から５のうちいずれか１つに記載の情報表示システムであって、
前記言葉認識装置は、文字認識および音声認識のうち、少なくとも一方を行う
情報表示システム。
【請求項７】
会議などの人の集まりで使用された言葉を認識し、前記認識した言葉を送信する言葉認識装置から受信した言葉の解説を、前記言葉と当該言葉の解説とを組にして複数記憶した辞書により検索し、
前記受信した言葉と、検索された前記解説とを複数の端末に送信する制御部
としてコンピューターを機能させるための情報表示プログラムであって、
前記制御部は、
前記言葉ごとの、前記言葉を前記複数の端末に送信してからの経過時間を取得し、
前記複数の端末の各々から、選択された前記言葉と、前記言葉が選択された旨とを受信すると、
前記言葉ごとに、前記言葉が選択された回数を集計し、
前記回数の集計結果に基づいて、取得した特定の言葉の前記経過時間の値を調整し、
調整した前記経過時間の値に基づいて、前記複数の端末の各々の表示部に表示されている特定の言葉の表示態様を変更する指示を作成し、
作成した前記指示を前記複数の端末の各々に送信する
情報表示プログラム。
【発明の詳細な説明】
【技術分野】
【０００１】
本発明は、会議やプレゼンテーションにおいて参加者の端末に情報を表示する情報表示システムおよび情報表示プログラムに関する。
【背景技術】
【０００２】
従来から、会議やプレゼンテーションを円滑に進めたり、会議の様子を記録した媒体からユーザーが参照したい箇所を効率よく検索したりするための様々な工夫がなされてきた。
【０００３】
例えば、特許文献１において開示された技術では、会議において使用されたスライド資料や会議中の音声、手書き文字などをまとめて記録した会議情報ＤＢ（Database）から、参照したい内容を効率良く探し出すために、会議中にスライド資料や音声、手書き文字などからキーワードを抽出し、抽出したキーワードに重要度や抽象度などの属性を付与して記憶させておく。
【０００４】
ユーザーが会議内容を検索する際、検索画面には、属性に基づいて算出されたキーワードが時刻ごとの階層構造になって見出し語として表示されるので、ユーザーは見出し語を参照しながら、会議内容が記録された会議情報ＤＢから目的の部分を容易に見つけ出すことが出来る。
【０００５】
また、特許文献２において開示された技術では、進行中の会議において発話され記録された発言を、発言者毎に、議事進行の状況にあわせて簡易に表示して切り替えることを可能としている。
【０００６】
また、近年、多くの言葉を表示する方法として複数個のタグ（言葉）を雲（クラウド）のように表示するタグクラウド（tag cloud）が用いられるようになってきた。
【０００７】
例えば、特許文献３において開示された技術では、タグ間の相関関係という側面や時間的な側面を考慮して重要度に応じてタグの表示方法を変化させている。なお、ここでいう時間的側面とは、例えば、現時点での重要度に応じてタグを表示する為のフォントの大きさを変えたり、過去の一定期間に亘って各時刻の重要度に応じてフォントの大きさを変え、変化の動向を示したりするものである。また、重要度とは所与のデータセット内の頻度に応じたものである。また、相関関係の表示は、固有のグループ分け、色分け、または距離表示により行われている。
【先行技術文献】
【特許文献】
【０００８】
【特許文献１】特開２００８−０７７４９５号公報
【特許文献２】特開２０１１−１００３５５号公報
【特許文献３】特開２０１０−１５５５８号公報
【発明の概要】
【発明が解決しようとする課題】
【０００９】
会議やプレゼンテーションでは、発言者の話に含まれる言葉の意味が分からないと話の内容が理解できない。そのため、一般的ではないと思われる言葉に関して発言者が解説を行ったり、聴衆が発言者に言葉の意味を質問したりしなければならなかった。
【００１０】
また、会議資料を事前に準備する場合は、会議の参加者が言葉の意味をどの程度知っているかを予測することは難しく、会議開始後に言葉の意味をどれくらい知っているかを、会議で用いる言葉毎に参加者に確認しながら会議を進めるのは手間であり会議を効率的に進めることが難しかった。
【００１１】
しかし、特許文献１および２に開示された技術は、会議の発言などを一旦記録し、会議後に会議内容のうち特定の箇所を再生する際に目的の再生箇所を見つけ易くするものであり、進行中の会議を効率よく進める為の役には立たない。
【００１２】
また、特許文献３の技術は、進行中の会議において会議を効率的に進めるために用いるという用途に限定したものではないため、会議の時間経過に応じて、会議に挙がった言葉の重要度が変化していくことは考慮されていない。そのため、進行中の会議において使用するには使い難いものであった。
【００１３】
以上のような事情に鑑み、本発明の目的は、進行中の会議やプレゼンテーションの内容に応じて適切な情報を端末に表示でき、会議やプレゼンテーションを効率的に進めることが出来る情報表示システムおよび情報表示プログラムを提供することにある。
【課題を解決するための手段】
【００１４】
上記目的を達成するため、本発明の一形態に係る情報表示システムは、言葉認識装置、サーバー、および複数の端末を含み、前記言葉認識装置は、会議などの人の集まりで使用された言葉を認識し、前記認識した言葉を前記サーバーに送信し、前記サーバーは、前記言葉認識装置および前記複数の端末と通信可能な第１の通信部と、言葉と当該言葉の解説とを組にして複数記憶した辞書と、前記言葉認識装置から受信した言葉の前記解説を前記辞書により検索し、前記受信した言葉と、検索された前記解説とを前記複数の端末に送信する第１の制御部とを備え、前記各々の端末は、前記サーバーと通信可能な第２の通信部と、ユーザーからの操作指示を受け付ける操作部と、表示部と、前記解説を記憶可能な記憶部と、前記第２の通信部が前記サーバーから前記言葉と前記言葉の前記解説とを受信すると、受信した前記言葉を前記表示部に表示させ、受信した前記解説を前記記憶部に記憶させ、表示された前記言葉の選択を前記ユーザーから前記操作部を介して受け付けると、選択された前記言葉に対応する前記解説を前記記憶部から取得し、取得した前記解説を前記表示部に表示させる第２の制御部とを備える。そのため、進行中の会議やプレゼンテーションの内容に応じて適切な情報を端末に表示でき、会議やプレゼンテーションを効率的に進めることが出来る。
【００１５】
上記目的を達成するため、本発明の一形態に係る情報表示システムでは、前記端末の第２の制御部は、表示された前記言葉の選択を前記ユーザーから前記操作部を介して受け付けると、選択された前記言葉と、前記言葉が選択された旨とを前記サーバーに送信し、前記サーバーの第１の制御部は、選択された前記言葉と、前記言葉が選択された旨とを受信すると、前記言葉ごとに、前記言葉が選択された回数を集計し、前記集計結果に基づいて、前記各々の端末の表示部に表示されている特定の言葉の表示態様を変更する指示を作成し、作成した前記指示を前記各々の端末に送信し、前記各々の端末の第２の制御部は、前記指示を受信すると、受信した前記指示に基づいて、前記特定の言葉の表示態様を変更する構成でもよい。
【００１６】
上記目的を達成するため、本発明の一形態に係る情報表示システムでは、前記サーバーは、前記言葉を前記複数の端末に送信してからの経過時間を前記言葉ごとに管理する時間管理部を更に備え、前記サーバーの第１の制御部は、前記時間管理部から前記言葉ごとの前記経過時間を取得し、取得した前記経過時間に基づいて、前記各々の端末の表示部に表示されている言葉ごとの表示態様を変更する指示を作成し、作成した前記指示を前記各々の端末に送信し、前記各々の端末の第２の制御部は、前記指示を受信すると、受信した前記指示に基づいて、前記言葉ごとに表示態様を変更する構成でもよい。
【００１７】
上記目的を達成するため、本発明の一形態に係る情報表示システムでは、前記サーバーは、前記言葉を前記複数の端末に送信してからの経過時間を前記言葉ごとに管理する時間管理部を更に備え、前記端末の第２の制御部は、表示された前記言葉の選択を前記ユーザーから前記操作部を介して受け付けると、選択された前記言葉と、前記言葉が選択された旨とを前記サーバーに送信し、前記サーバーの第１の制御部は、前記時間管理部から前記言葉ごとの前記経過時間を取得し、選択された前記言葉と、前記言葉が選択された旨とを受信すると、前記言葉ごとに、前記言葉が選択された回数を集計し、前記集計結果に基づいて、取得した特定の言葉の前記経過時間の値を調整し、調整した前記経過時間の値に基づいて、前記各々の端末の表示部に表示されている特定の言葉の表示態様を変更する指示を作成し、作成した前記指示を前記各々の端末に送信し、前記各々の端末の第２の制御部は、前記指示を受信すると、受信した前記指示に基づいて、前記言葉ごとに表示態様を変更する構成でもよい。
【００１８】
上記目的を達成するため、本発明の一形態に係る情報表示システムでは、前記サーバーの第１の制御部は、前記言葉認識装置から受信した言葉の前記解説が前記辞書に存在するとき、前記受信した言葉と、検索された前記解説とを前記複数の端末に送信する構成でもよい。
【００１９】
上記目的を達成するため、本発明の一形態に係る情報表示システムでは、前記各々の端末の第２の制御部は、前記サーバーから受信した前記表示態様を変更する指示よりも、前記操作部が受け付けた、前記ユーザーによる前記表示された言葉の表示態様を変更する指示を優先する構成でもよい。
【００２０】
上記目的を達成するため、本発明の一形態に係る情報表示システムでは、前記言葉認識装置は、文字認識および音声認識のうち、少なくとも一方を行う構成でもよい。
【００２１】
上記目的を達成するため、本発明の一形態に係る情報表示プログラムは、会議などの人の集まりで使用された言葉を認識し、前記認識した言葉を送信する言葉認識装置から受信した言葉の解説を、前記言葉と当該言葉の解説とを組にして複数記憶した辞書により検索し、前記受信した言葉と、検索された前記解説とを複数の端末に送信する制御部としてコンピューターを機能させる。
【００２２】
上記目的を達成するため、本発明の一形態に係る情報表示プログラムは、サーバーから言葉と前記言葉の解説とを受信すると、受信した前記言葉を表示部に表示させ、受信した前記解説を記憶部に記憶させ、表示された前記言葉をユーザーが操作部を介して選択すると、選択された前記言葉に対応する前記解説を前記記憶部から取得し、取得した前記解説を前記表示部に表示させる制御部としてコンピューターを機能させる。
【発明の効果】
【００２３】
以上のように、本発明によれば、進行中の会議やプレゼンテーションの内容に応じて適切な情報を端末に表示でき、会議やプレゼンテーションを効率的に進めることが出来る。
【図面の簡単な説明】
【００２４】
【図１】本発明の一実施形態に係る情報表示システム１の構成図である。
【図２】端末１００の表示部１０１における、言葉および言葉の意味の表示例を示す図である。
【図３】情報表示システム１における全体の処理の流れのフローチャートである。
【図４】話題に上がった言葉を認識し、認識した言葉を表示する、第１の処理群の流れを示すフローチャートである。
【図５】表示された言葉のうち、参加者により選択された言葉の意味を表示する、第２の処理群の流れを示すフローチャートである。
【図６】言葉を表示してから（送信してから）の経過時間に応じ、言葉の表示態様を変化させる、第３の処理群の流れを示すフローチャートである。
【図７】言葉ごとに、選択された回数を集計し、集計結果に基づいて、表示されている言葉の表示態様を変化させる、第４の処理群の流れを示すフローチャートである。
【発明を実施するための形態】
【００２５】
以下、図面を参照しながら、本発明の実施形態を説明する。
【００２６】
［概要］
最初に、本発明の一実施形態に係る情報表示システムの概要について説明する。本情報表示システムは、会議やプレゼンテーションなど人の集まりを行う時に用いられ、大きく分けて２つの機能を有している。
【００２７】
会議やプレゼンテーションでは、議事やアジェンダの進行や時間の経過に伴い、様々な言葉が話題に上る（使用される）。ここでいう言葉とは、例えば、専門用語や略語、造語、現代語、流行語、一般に認知されていない言葉、外国語の言葉などである。
【００２８】
本情報表示システムの第１の機能は、会議やプレゼンテーションの参加者（ユーザー）が用いる、本情報表示システムの一部をなす端末において、話題に上った言葉の意味を参加者が参照することが出来るようにするものである。
【００２９】
話題に上った言葉がリアルタイムで端末に表示されるので、その意味（解説）を知りたい参加者は、表示された言葉をクリックしたりタップしたりして選択する。すると、その意味が端末上に表示される。
【００３０】
こうすることで、参加者は、意味の分からない言葉があっても、発話者や発表者に質問せずに意味を知ることが出来、質問により会議進行の流れを止めてしまう状況を避けることが出来る。
【００３１】
また、参加者が意味の分からない言葉をインターネットで検索するよりも少ない操作で言葉の意味を知ることが出来、検索に要する時間などのリソースも削減することが出来る。
【００３２】
本情報表示システムの第２の機能は、各端末に表示された言葉が選択された回数を、言葉ごとに集計し、集計結果を各端末にリアルタイムでフィードバックするものである。
【００３３】
例えば、「Smartphone」という言葉が話題に上ると、各参加者の端末に「Smartphone」と表示される。１０人の参加者のうち３人が表示された「Smartphone」という言葉を選択し、その意味を端末上に表示させたとすると、本情報表示システムの一部をなすサーバーがその選択行為を集計する。そして、サーバーは、各端末に表示されている「Smartphone」という言葉の表示態様を、集計結果に基づいて、フォントサイズの変更や表示色の変更などの強調表示（視覚効果）を用いて変更する。
【００３４】
こうすることで、端末を見た発話者や発表者は、どの言葉について、どの程度の参加者が意味を参照したかを把握することが出来る。そのため、発話者や発表者は、言葉の意味が多くの参加者から参照された言葉については、端末に表示される言葉の意味よりも更に深く言葉の意味を解説することが出来る。また、言葉の意味を参照する参加者が少なかった言葉について、発話者や発表者は、解説を加えることなく話を進めて時間を節約することが出来る。
【００３５】
また、参加者全員が、話題に上った言葉の認知度を知ることが出来るので、会議やプレゼンテーションを円滑に進めることが出来る。
【００３６】
以上の機能により、本情報表示システムを用いると、進行中の会議やプレゼンテーションの内容に応じて適切な情報を端末に表示でき、会議やプレゼンテーションを効率的に進めることが出来る。
【００３７】
なお、各参加者の端末に表示される画面は、完全に同一である必要は無い。各端末は、サーバーからの集計結果のフィードバックに基づいて、表示中の言葉の表示態様を変更できさえすれば、各参加者が画面上に表示された多くの言葉を自由に移動させたり消去したり出来るようになっていてもよい。
【００３８】
例えば、端末上に表示された言葉のうち、自分がよく知っている言葉に関しては、画面上から消去したり、意味を参照したがもう一度参照するかもしれない言葉は邪魔にならないように、画面の端によけておいたりしてもよい。
【００３９】
こうすることで、各参加者は、参加者全体での言葉の理解度を把握しつつ、自分の理解度に合わせて端末上に表示される言葉を整理できるので、会議内容やプレゼンテーション内容をより深く理解することが出来る。
【００４０】
また、端末上に表示された言葉は、時間の経過に応じて、フォントサイズを小さくしたり、表示色を薄くしたりしてフェードアウトさせてもよい。これは、会議やプレゼンテーションでは、議事の進行に伴い話題となる言葉が次々に出てくるという性質と、時間の経過に伴い話題となった言葉の重要度が一般的に低減するという性質を考慮したものである。
【００４１】
こうすることで、議事が進行しても、端末上に表示される言葉が多くなりすぎる状況を防止することが出来る。
【００４２】
なお、多くの参加者が意味を参照した言葉に関しては、フェードアウトするまでの時間を延長したり、フェードアウトさせなかったりするようにしてもよい。
【００４３】
以上、本発明の一実施形態に係る情報表示システムの概要について説明した。
【００４４】
［構成］
次に、本発明の一実施形態に係る情報表示システムの構成について説明する。図１は、本発明の一実施形態に係る情報表示システム１の構成図である。
【００４５】
情報表示システム１は、複数の端末１００、サーバー４００、文字認識装置５００（言葉認識装置）、および音声認識装置６００（言葉認識装置）を含んで構成される。なお、端末１００およびサーバー４００は、一般的なコンピューターを用いることが出来る。以下の説明では、端末１００のハードウェアとしてはタブレット型コンピューターを用い、サーバー４００のハードウェアとしてはＰＣ（Personal Computer）を用いる前提で全体の詳細な説明は省略し、主要なブロックのみを説明する。
【００４６】
端末１００は、会議やプレゼンテーションの参加者各人（発表者を含む）が用いるものであり、表示部１０１、操作部１０２、制御部１０３（第２の制御部）、記憶部１０４、および通信部１０５（第２の通信部）を備えている。
【００４７】
表示部１０１には、画面上に、会議で話題に挙がった言葉がタグクラウドとして表示されたり、参加者が選択した言葉の意味が表示されたりする。詳細は後述する。
【００４８】
操作部１０２は、端末１００を用いる参加者から、操作指示を受け付ける。具体的な操作として、表示部１０１に表示された言葉をクリックやタップにより選択する操作や、表示されている言葉を削除する操作、表示されている言葉の表示位置を移動する操作などが挙げられる。
【００４９】
制御部１０３は、端末１００の各部を制御する。特に、サーバー４００から受信した言葉を、同じくサーバー４００から受信した表示態様に関する指示に基づいて表示部１０１上に表示する。また制御部１０３は、操作部１０２により表示されている言葉が選択された場合、選択された言葉とその言葉が選択された旨を通信部１０５によりサーバー４００へ送信させる。
【００５０】
記憶部１０４は、表示部１０１に表示された言葉の意味を参照するために参加者が言葉を選択したとき、表示部１０１に表示するための言葉の解説を記憶する。なお、記憶される解説は、サーバー４００から受信され、制御部１０３により記憶部１０４に記憶されたものである。
【００５１】
通信部１０５は、サーバー４００から会議で話題となった言葉、その言葉の意味、およびその言葉の表示態様に関する指示を受信し、表示部１０１に表示された言葉が参加者により選択された場合は、選択された言葉とその言葉が選択された旨をサーバー４００に送信する。なお、端末１００とサーバー４００は専用のケーブルにより接続されていてもよいし、有線または無線のＬＡＮ（Local Area Network）などにより接続されていてもよい。
【００５２】
文字認識装置５００は、会議中にプロジェクターを用いてスクリーン上に投影された会議資料やプレゼンテーション資料、またホワイトボード上に手書きされた言葉をカメラ等で撮影し、ＯＣＲ（Optical Character Recognition）処理した後、形態素解析を行う。そして、品詞が名詞または動詞であると判断された言葉をサーバー４００に送信する。文字認識装置５００は、一般的な技術を用いて構成されたものでよい。
【００５３】
なお、文字認識装置５００は、カメラ等を用いる以外に、プレゼンテーションで用いる資料を電子的に取得し、取得したデータから言葉を抽出してもよい。
【００５４】
音声認識装置６００は、会議中に発声された言葉をマイクロフォン等により採取し、テキスト化した後、形態素解析を行う。そして、品詞が名詞または動詞であると判断された言葉をサーバー４００に送信する。音声認識装置６００は、一般的な技術を用いて構成されたものでよい。
【００５５】
なお、音声認識装置６００は、マイクロフォン等を用いる以外に、プレゼンテーションで使用される動画や音声ファイルから直接、言葉を抽出して取得してもよい。
【００５６】
サーバー４００は、会議中に話題に上り文字認識装置５００または音声認識装置６００により認識された言葉を取得し、取得した言葉の意味を検索して取得した後、端末１００に送信する。また、サーバー４００は、端末１００上で選択された言葉を集計し、集計結果および言葉を表示してからの経過時間に基づいて言葉の表示態様を変化させるように端末１００に指示を送信する。
【００５７】
サーバー４００は、制御部４０１（第１の制御部）、辞書４０２、時間管理部４０３、記憶部４０４、および通信部４０５（第１の通信部）を備えている。
【００５８】
制御部４０１は、サーバー４００各部を制御する。
【００５９】
辞書４０２は、言葉とその意味が組になって複数記憶されたものであり、文字認識装置５００または音声認識装置６００から受信した言葉の意味を検索するために制御部４０１により用いられる。
【００６０】
なお、辞書４０２は、サーバー４００の外部に独立して存在するものでもよい。また、辞書４０２には、言葉とその意味以外に、言葉とその関連情報とが組になって記憶されていてもよい。
【００６１】
時間管理部４０３は、端末１００上で表示される言葉ごとに、言葉をサーバー４００から各端末１００に送信してからの経過時間を管理する。時間管理部４０３で管理される経過時間は、端末１００上に表示された言葉をフェードアウトさせる時刻を計算するために用いられる。
【００６２】
記憶部４０４は、端末１００上に表示された言葉ごとに、何人の参加者によりその言葉が選択されたかの集計値を記憶する。
【００６３】
通信部４０５は、全ての端末１００、文字認識装置５００、および音声認識装置６００と通信する。
【００６４】
以上、本発明の一実施形態に係る情報表示システムの構成について説明した。
【００６５】
［端末１００上での表示例］
次に、端末１００の表示部１０１における、言葉および言葉の意味の表示例を説明する。図２は、端末１００の表示部１０１における、言葉および言葉の意味の表示例を示す図である。
【００６６】
表示部１０１の画面は、会議で話題に上がった言葉をタグクラウドとして表示する領域Area1と、表示された言葉が選択された場合に選択された言葉の意味（解説）を表示する領域Area2とを含んで構成される。
【００６７】
図２のArea1において点線で示しているように、Area1は３次元空間の四角い部屋の中に言葉が浮かんで表示され、時間の経過と共に、表示された言葉は、より小さいフォントで表示されたり、より薄い色で表示されたり、四角い部屋の奥に移動するように表示されたりする。
【００６８】
図２で示している状態を具体的に説明すると、現時点から最も近い過去の時点で話題に上がった「Smartphone」という言葉Ｔ１を、この言葉が表示された端末１００を使用している参加者がタップして選択し、その結果として、「Smartphone」の意味である「携帯電話の種類を示す用語である。（後略）」がArea2に表示されている。
【００６９】
なお、図２では、「Smartphone」という言葉Ｔ１よりも過去の時点で話題に上がった言葉Ｔ２（Material Color）が、言葉Ｔ１よりも薄い色で言葉Ｔ１の下方に表示されている。
【００７０】
また、さらに過去の時点で話題に上がった言葉Ｔ３（Energy saving）が、言葉Ｔ２よりもさらに薄い色とより小さいフォントで、言葉Ｔ１の左上方に表示されている。
【００７１】
なお、これらの言葉は、基本的には、表示開始からの時間の経過（例えば３分）と共に、部屋の奥へとフェードアウトしていくが、多くの参加者によりタップされ意味が参照された言葉は、フェードアウトまでの時間が延長されたり、表示開始時点のフォントサイズや色の濃さまで表示態様を戻してフェードアウトをリセットしたり、フェードアウトの対象から外したりしてもよい。
【００７２】
以上、端末１００の表示部１０１における、言葉および言葉の意味の表示例を説明した。
【００７３】
［処理の流れ］
次に、本発明の一実施形態に係る情報表示システム１における処理の流れについて説明する。図３から図７は、本発明の一実施形態に係る情報表示システム１における処理の流れについて説明するためのフローチャートである。
【００７４】
（全体の処理の流れ）
まず、情報表示システム１における全体の処理の流れのフローチャートを図３に示す。全体の処理は、大きく４つの処理群に分けることが出来る。
【００７５】
第１の処理群は、話題に上がった言葉を認識し、認識した言葉を端末１００において表示する処理群である（ステップＳ１００）。
【００７６】
第２の処理群は、端末１００に表示された言葉のうち、参加者により選択された言葉の意味を端末１００上に表示する処理群である（ステップＳ２００）。
【００７７】
第３の処理群は、端末１００へ言葉を表示してからの経過時間に応じて、表示されている言葉の表示態様を変化させる処理群である（ステップＳ３００）。
【００７８】
第４の処理群は、言葉ごとに、選択された回数を集計し、集計結果に基づいて、表示されている言葉の表示態様を変化させる処理群である（ステップＳ４００）。
【００７９】
会議やプレゼンテーションにおいては、話題とする言葉が次々と上がるため、これら４つの処理群が同時並行的に繰り返して行われることになる。
【００８０】
以上が、情報表示システム１における全体の処理の流れである。
【００８１】
（第１の処理群：話題に上がった言葉の認識と認識した言葉の表示）
図４は、話題に上がった言葉を認識し、認識した言葉を表示する、第１の処理群の流れを示すフローチャートである。
【００８２】
まず、文字認識装置５００または音声認識装置６００が、会議中に話題に上がった言葉を認識し、認識した言葉をサーバー４００に送信する（ステップＳ１０１）。
【００８３】
次に、サーバー４００の制御部４０１は、受信した言葉が辞書４０２に存在して、意味を取得することが可能かを判断する（ステップＳ１０２）。
【００８４】
受信した言葉が辞書４０２に存在しない場合（ステップＳ１０２のＮ）、制御部４０１はステップＳ１０１に戻り、認識された言葉の受信を繰り返す。この処理は、辞書４０２に意味が登録されていない言葉を端末１００に表示しないようにすることにより、端末１００の表示部１０１の領域Area1に表示されるタグクラウドが混みすぎて、参加者が言葉を視認しにくくなる状況を避けるため（可読性を確保するため）に行うものである。
【００８５】
そのため、タグクラウドが混んでもよい場合は、辞書４０２に無い言葉についても端末１００に送信する構成でもよい。
【００８６】
受信した言葉が辞書４０２に存在する場合（ステップＳ１０２のＹ）、制御部４０１は辞書４０２からその言葉の意味を取得する（ステップＳ１０３）。
【００８７】
次に、制御部４０１は、受信し辞書４０２に存在する言葉と、辞書４０２から取得したその言葉の意味とを、全ての端末１００に通信部４０５を介して送信する（ステップＳ１０４）。
【００８８】
次に、各端末１００の制御部１０３は、それぞれ、通信部１０５を介して、言葉とその意味をサーバー４００から受信する（ステップＳ１０５）。
【００８９】
次に、各端末１００の制御部１０３は、それぞれ、受信した言葉を表示部１０１に表示させる（ステップＳ１０６）。
【００９０】
次に、各端末１００の制御部１０３は、それぞれ、受信した言葉の意味を記憶部１０４に記憶させる（ステップＳ１０７）。
【００９１】
以上が、話題に上がった言葉を認識し、認識した言葉を表示するまでの処理の流れである。
【００９２】
（第２の処理群：表示された言葉のうち、参加者により選択された言葉の意味を表示）
図５は、表示された言葉のうち、参加者により選択された言葉の意味を表示する、第２の処理群の流れを示すフローチャートである。
【００９３】
まず、端末１００の制御部１０３が、通信部１０５により受信した言葉を表示部１０１により表示させる（ステップＳ１０６）。この処理は、上述した第１の処理群に含まれるステップである。
【００９４】
次に、端末１００の制御部１０３は、表示した言葉が参加者（端末１００のユーザー）によりクリックやタップにより選択されたか否かを判断する（ステップＳ２０１）。
【００９５】
表示された言葉が選択された場合（ステップＳ２０１のＹ）、端末１００の制御部１０３は、選択された言葉の意味を、記憶部１０４から取得し、表示部１０１の領域Area2に表示させる（ステップＳ２０２）。
【００９６】
次に、端末１００の制御部１０３は、選択された言葉と、その言葉が選択された旨を、通信部１０５を介してサーバー４００に送信する（ステップＳ２０３）。
【００９７】
以上が、表示された言葉のうち、参加者により選択された言葉の意味を表示する処理の流れである。
【００９８】
（第３の処理群：表示してからの経過時間に応じ、言葉の表示態様を変化させる）
図６は、言葉を表示してから（送信してから）の経過時間に応じ、言葉の表示態様を変化させる、第３の処理群の流れを示すフローチャートである。
【００９９】
まず、サーバー４００の制御部４０１が、全ての端末１００に対して言葉とその意味とを送信する（ステップＳ１０４）。この処理は、上述した第１の処理群に含まれる処理である。
【０１００】
次に、全ての端末１００の制御部１０３が、サーバー４００から送信された言葉とその意味とを受信し、受信した言葉を表示部１０１に表示させる（ステップＳ１０６）。この処理も、第１の処理群に含まれる処理である。
【０１０１】
サーバー４００の制御部４０１は、全ての端末１００に対して言葉とその意味とを送信した後、時間管理部４０３に指示して、送信した言葉に関する経過時間の計時を開始する（ステップＳ３０１）。
【０１０２】
次に、サーバー４００の制御部４０１は、予め定められた特定の時間が経過したか否かを判断する（ステップＳ３０２）。
【０１０３】
特定の時間がまだ経過していない場合（ステップＳ３０２のＮ）、サーバー４００の制御部４０１は、前のステップＳ３０１に戻り計時を継続する。
【０１０４】
特定の時間が経過した場合（ステップＳ３０２のＹ）、サーバー４００の制御部４０１は、対象とする言葉の表示態様を変更するように、全端末１００に対して指示を送信する（ステップＳ３０３）。
【０１０５】
ここでいう表示態様の変更とは、具体的には、言葉「Smartphone」をサーバー４００が全端末１００に送信してからの経過時間に応じ、言葉の表示に使用するフォントのサイズをより小さいサイズに変更したり、言葉の表示に使用するフォントの色をより薄い色に変更したり、言葉を表示する位置を遠近法で描かれている３次元空間の四角い部屋（表示部１０１の表示領域Area1）内でより奥の方に変更したりすることである。
【０１０６】
次に、各端末１００の制御部１０３は、対象とする言葉の表示態様を変更する指示を受信する（ステップＳ３０４）。
【０１０７】
次に、各端末１００の制御部１０３は、受信した指示に従い、対象とする言葉の表示態様を変更する（ステップＳ３０５）。
【０１０８】
以上が、言葉を表示してから（送信してから）の経過時間に応じ、言葉の表示態様を変化させる処理の流れである。
【０１０９】
（第４の処理群：言葉ごとの選択回数の集計と、集計結果に基づく表示態様の変更）
図７は、言葉ごとに、選択された回数を集計し、集計結果に基づいて、表示されている言葉の表示態様を変化させる、第４の処理群の流れを示すフローチャートである。
【０１１０】
なお、第４の処理群における処理の流れの説明では、サーバー４００に加えて、参加者が表示された言葉に対して選択操作を行わないとする端末１００として端末Ａ、そして参加者が表示された言葉に対して選択操作を行うとする端末１００として端末Ｂを例として挙げて説明する。
【０１１１】
まず、端末Ｂの制御部１０３が、選択された言葉と、その言葉が選択された旨をサーバー４００に送信する（ステップＳ２０３）。この処理は、上述した第２の処理群に含まれる処理である。
【０１１２】
次に、サーバー４００の制御部４０１が、端末Ｂで選択された言葉と、その言葉が選択された旨を受信する（ステップＳ４０１）。
【０１１３】
サーバー４００の制御部４０１は、言葉ごとに、選択された回数を集計する（ステップＳ４０２）。
【０１１４】
次に、サーバー４００の制御部４０１は、集計結果に応じて、各端末Ａ、Ｂの表示部１０１の画面上に表示されている言葉のうち、対象とする特定の言葉の経過時間の値を調整し、調整した経過時間の値に基づいて表示態様を変化させるように各端末Ａ、Ｂに指示を送信する（ステップＳ４０３）。
【０１１５】
ここでいう表示態様を変化させるとは、具体的には、言葉を表示するために使用しているフォントのサイズをより大きいサイズに変更したり、言葉を表示するために使用しているフォントの色をより濃い色に変更したり、色の種類を変更したり、言葉を表示する位置を、例えば遠近法で描かれている３次元空間の四角い部屋（表示部１０１の表示領域Area1）内でより手前の方に移動させたりして、強調表示することである。
【０１１６】
なお、強調表示は、言葉を表示開始した時の表示態様より更に強調されたものであってもよい。
【０１１７】
また、ある言葉が選択された回数をフィードバックする方法として、言葉を強調表示する以外に、例えば、特定の言葉の近傍に、全参加者数に対して言葉の意味を参照した参加者の割合をパーセント表示する方法などを用いてもよい。
【０１１８】
なお、別の言い方をすれば、ここでいう表示態様を変化させるとは、表示されてから時間が経過しフェードアウトしつつあった言葉を、経過時間の値をゼロにリセットすることにより表示開始当初のフォントサイズやフォント色、色の濃さ、表示位置に戻したり、経過時間の値を減じることによりフェードアウトするまでの時間を延長したりすることであってもよい。
【０１１９】
なお、表示位置に関しては、参加者が端末１００ごとに行った、言葉の移動操作の結果が優先されてもよい。そうすると、各参加者は、自由に言葉の表示位置を変更し、表示位置を変更した状態を継続することが出来る。
【０１２０】
次に、各端末Ａ、Ｂの制御部１０３は、特定の言葉の表示態様を変化させる指示をサーバー４００から受信する（ステップＳ４０４）。
【０１２１】
次に、各端末Ａ、Ｂの制御部１０３は、特定の言葉の表示態様を変化させる（ステップＳ４０５）。
【０１２２】
以上が、言葉ごとに、選択された回数を集計し、集計結果に基づいて、表示されている言葉の表示態様を変化させる処理の流れである。
【０１２３】
以上、本発明の一実施形態に係る情報表示システム１における処理の流れについて説明した。
【０１２４】
［補足事項］
その他、本発明は、上述の実施形態にのみ限定されるものではなく、本発明の要旨を逸脱しない範囲内において種々変更を加え得ることは勿論である。
【符号の説明】
【０１２５】
１００  …  端末
１０１  …  表示部
１０２  …  操作部
１０３  …  制御部
１０４  …  記憶部
１０５  …  通信部
４００  …  サーバー
４０１  …  制御部
４０２  …  辞書
４０３  …  時間管理部
４０４  …  記憶部
４０５  …  通信部
５００  …  文字認識装置
６００  …  音声認識装置
【図１】
0006027580.tif 000002
【図３】
0006027580.tif 000003
【図４】
0006027580.tif 000004
【図５】
0006027580.tif 000005
【図６】
0006027580.tif 000006
【図７】
0006027580.tif 000007
【図２】
0006027580.tif 000008